(57)【特許請求の範囲】
【請求項１】
地図中に定義される第１の種類の複数領域の各々に結合された第１項目の数値を、前記第１の種類の領域とともに第１の地図データとして格納する第１地図データ格納手段と、
地図中に定義される第２の種類の複数領域の各々に結合された第２項目の数値を、前記第２の種類の領域とともに第２の地図データとして格納する第２地図データ格納手段と、
前記第１の種類の領域と重なる前記第２の種類の領域の面積割合により、前記第２項目の数値を按分する第２数値按分手段と、
前記按分された第２項目の数値を前記第１の種類の領域毎に合計した値に対する前記按分された各第２項目の数値の割合により、前記第２の種類の各領域に対して前記第１項目の数値を按分する第１数値按分手段と、
前記第１数値按分手段により按分された第１項目の数値を前記第２の種類の領域毎に合計し、前記第２の種類の各領域に対する前記第１項目の数値とする第１数値合計手段と、
を備えることを特徴とする地図データの属性情報統合装置。
【請求項２】
請求項１記載の地図データの属性情報統合装置において、前記第１の種類または第２の種類の領域に含まれる特殊領域に重なる前記第２の種類または第１の種類の領域の部分を、前記第１項目または第２項目の数値の按分対象から除外することを特徴とする地図データの属性情報統合装置。
【請求項３】
請求項２記載の地図データの属性情報統合装置において、前記特殊領域は、海域部その他の人の居住が不可能な領域であることを特徴とする地図データの属性情報統合装置。
【請求項４】
請求項２記載の地図データの属性情報統合装置において、前記特殊領域は、山間部その他の人口僅少領域であることを特徴とする地図データの属性情報統合装置。
【請求項５】
地図中に定義される第１の種類の複数領域の各々に結合された第１項目の数値を、前記第１の種類の領域とともに第１の地図データとして格納し、
地図中に定義される第２の種類の複数領域の各々に結合された第２項目の数値を、前記第２の種類の領域とともに第２の地図データとして格納し、
前記第１の種類の領域と重なる前記第２の種類の領域の面積割合により、前記第２項目の数値を按分し、
前記按分された第２項目の数値を前記第１の種類の領域毎に合計した値に対する前記按分された各第２項目の数値の割合により、前記第２の種類の各領域に対して前記第１項目の数値を按分し、
前記按分された第１項目の数値を前記第２の種類の領域毎に合計し、前記第２の種類の各領域に対する前記第１項目の数値とすることを特徴とする地図データの属性情報統合方法。
【請求項６】
コンピュータを、
地図中に定義される第１の種類の複数領域の各々に結合された第１項目の数値を、前記第１の種類の領域とともに第１の地図データとして格納する第１地図データ格納手段、
地図中に定義される第２の種類の複数領域の各々に結合された第２項目の数値を、前記第２の種類の領域とともに第２の地図データとして格納する第２地図データ格納手段、
前記第１の種類の領域と重なる前記第２の種類の領域の面積割合により、前記第２項目の数値を按分する第２数値按分手段、
前記按分された第２項目の数値を前記第１の種類の領域毎に合計した値に対する前記按分された各第２項目の数値の割合により、前記第２の種類の各領域に対して前記第１項目の数値を按分する第１数値按分手段、
前記第１数値按分手段により按分された第１項目の数値を前記第２の種類の領域毎に合計し、前記第２の種類の各領域に対する前記第１項目の数値とする第１数値合計手段、として機能させることを特徴とする地図データの属性情報統合プログラム。
【発明の詳細な説明】
【技術分野】
【０００１】
本発明は、複数の地図データの属性情報を統合するための地図データの属性情報統合装置、地図データの属性情報統合方法、及び地図データの属性情報統合プログラムに関する。
【背景技術】
【０００２】
従来より、地図画像データに国勢調査結果等の各種統計データ（属性情報）を結合させた地図データが使用されている。これらの地図データは、データの集計単位が大字（例えば、東京都目黒区東山等の範囲で集計）であるもの、町丁目等（例えば、東京都目黒区東山一丁目等の範囲で集計）であるもの等各種存在する。また、所定範囲（例えば５００ｍ×５００ｍ）の範囲毎にデータを集計したメッシュデータもある。また、異なる大きさの集計単位が重なる領域の面積が集計単位の面積に占める割合を求め、これに応じて自動車保有台数等の統計量を按分する方法もあった。
【０００３】
これらの地図データは、その使用目的に応じて集計単位が選択されるが、異なる大きさの集計単位（例えば大字単位と町丁目単位等）の属性情報を統合した地図データが必要となる場合もある。そこで、下記特許文献１には、電話番号に対応する地図データ上の座標を電話番号ポイントとして取得し、大きい集計単位の地図データ上の統計データから小さい集計単位の統計データを作成する詳細統計データの作成方法が開示されている。
【０００４】
【特許文献１】特開２００４−１１８８５３号
【発明の開示】
【発明が解決しようとする課題】
【０００５】
しかし、上記従来の技術においては、取得コストの高い電話番号ポイントを使用するので、広域の地図データの属性情報の統合に使用すると、地図データの作成コストが高くなるという問題があった。また、面積で按分する方法では、統計量が海域部や山間部といった居住が不可能あるいは人口が僅少な領域にも過大に按分されてしまい、分析精度が下がるという問題があった。
【０００６】
本発明は、上記従来の課題に鑑みなされたものであり、その目的は、低コストかつ高精度で地図データの属性情報を統合することができる地図データの属性情報統合装置、地図データの属性情報統合方法、及び地図データの属性情報統合プログラムを提供することにある。
【課題を解決するための手段】
【０００７】
上記目的を達成するために、請求項１記載の地図データの属性情報統合装置の発明は、地図中に定義される第１の種類の複数領域の各々に結合された第１項目の数値を、前記第１の種類の領域とともに第１の地図データとして格納する第１地図データ格納手段と、地図中に定義される第２の種類の複数領域の各々に結合された第２項目の数値を、前記第２の種類の領域とともに第２の地図データとして格納する第２地図データ格納手段と、前記第１の種類の領域と重なる前記第２の種類の領域の面積割合により、前記第２項目の数値を按分する第２数値按分手段と、前記按分された第２項目の数値を前記第１の種類の領域毎に合計した値に対する前記按分された各第２項目の数値の割合により、前記第２の種類の各領域に対して前記第１項目の数値を按分する第１数値按分手段と、前記第１数値按分手段により按分された第１項目の数値を前記第２の種類の領域毎に合計し、前記第２の種類の各領域に対する前記第１項目の数値とする第１数値合計手段と、を備えることを特徴とする。
【０００８】
請求項２記載の発明は、請求項１記載の地図データの属性情報統合装置において、前記第１の種類または第２の種類の領域に含まれる特殊領域に重なる前記第２の種類または第１の種類の領域の部分を、前記第１項目または第２項目の数値の按分対象から除外することを特徴とする。
【０００９】
請求項３記載の発明は、請求項２記載の地図データの属性情報統合装置において、前記特殊領域が、海域部その他の人の居住が不可能な領域であることを特徴とする。
【００１０】
請求項４記載の発明は、請求項２記載の地図データの属性情報統合装置において、前記特殊領域が、山間部その他の人口僅少領域であることを特徴とする。
【００１１】
請求項５記載の地図データの属性情報統合方法の発明は、地図中に定義される第１の種類の複数領域の各々に結合された第１項目の数値を、前記第１の種類の領域とともに第１の地図データとして格納し、地図中に定義される第２の種類の複数領域の各々に結合された第２項目の数値を、前記第２の種類の領域とともに第２の地図データとして格納し、前記第１の種類の領域と重なる前記第２の種類の領域の面積割合により、前記第２項目の数値を按分し、前記按分された第２項目の数値を前記第１の種類の領域毎に合計した値に対する前記按分された各第２項目の数値の割合により、前記第２の種類の各領域に対して前記第１項目の数値を按分し、前記按分された第１項目の数値を前記第２の種類の領域毎に合計し、前記第２の種類の各領域に対する前記第１項目の数値とすることを特徴とする。
【００１２】
請求項６記載の地図データの属性情報統合プログラムの発明は、コンピュータを、地図中に定義される第１の種類の複数領域の各々に結合された第１項目の数値を、前記第１の種類の領域とともに第１の地図データとして格納する第１地図データ格納手段、地図中に定義される第２の種類の複数領域の各々に結合された第２項目の数値を、前記第２の種類の領域とともに第２の地図データとして格納する第２地図データ格納手段、前記第１の種類の領域と重なる前記第２の種類の領域の面積割合により、前記第２項目の数値を按分する第２数値按分手段、前記按分された第２項目の数値を前記第１の種類の領域毎に合計した値に対する前記按分された各第２項目の数値の割合により、前記第２の種類の各領域に対して前記第１項目の数値を按分する第１数値按分手段、前記第１数値按分手段により按分された第１項目の数値を前記第２の種類の領域毎に合計し、前記第２の種類の各領域に対する前記第１項目の数値とする第１数値合計手段、として機能させることを特徴とする。
【発明の効果】
【００１３】
請求項１の発明によれば、第２項目の数値を面積割合で按分し、その按分結果に基づいて第１項目の数値を按分するので、面積割合により第１項目の数値を直接按分する場合に比べて、低コストかつ高精度で地図データの属性情報を統合することができる。
【００１４】
請求項２から請求項４の発明によれば、特殊領域を除外することにより、地図データの属性情報を統合する際の精度を向上することができる。
【００１５】
請求項５の発明によれば、第２項目の数値を面積割合で按分し、その按分結果に基づいて第１項目の数値を按分するので、面積割合により第１項目の数値を直接按分する場合に比べて、低コストかつ高精度で地図データを統合することができる地図データの属性情報統合方法を提供できる。
【００１６】
請求項６の発明によれば、第２項目の数値を面積割合で按分し、その按分結果に基づいて第１項目の数値を按分するので、面積割合により第１項目の数値を直接按分する場合に比べて、低コストかつ高精度で地図データの属性情報を統合することができる地図データの属性情報統合プログラムを提供できる。
【発明を実施するための最良の形態】
【００１７】
以下、本発明を実施するための最良の形態（以下、実施形態という）を、図面に従って説明する。
【００１８】
図１には、本発明にかかる地図データの属性情報統合装置を構成するコンピュータのハードウェア構成の例が示される。図１において、地図データの属性情報統合装置は、処理手段１０、入力手段１２、表示手段１４、通信手段１６及び記憶手段１８を含んで構成されている。
【００１９】
処理手段１０は、ＣＰＵ（中央処理装置）２０及びメモリ２２等を含んで構成され、ＣＰＵ２０の処理動作を制御するプログラムを実行して後述する各機能を実現する。
【００２０】
入力手段１２は、キーボード、ポインティングデバイス等を含んで構成され、利用者が動作指示等を入力するために使用する。また、入力手段１２は、画像取得装置を含んでもよく、この画像取得装置から地図データを取得する構成とする。ここで、画像取得装置は、例えばスキャナ等の画像読み取り装置により構成することができる。
【００２１】
表示手段１４は、液晶ディスプレイ（ＬＣＤ）あるいはＣＲＴ（Ｃａｔｈｏｄｅ  Ｒａｙ  Ｔｕｂｅ）等により構成され、後述する処理により生成された地図データ等を表示する。
【００２２】
通信手段１６は、ネットワークポート等の適宜な通信インターフェースにより実現され、他のコンピュータ等との間でデータの授受を行う。また、上記地図データは、通信手段１６を介して取得する構成としてもよい。
【００２３】
記憶手段１８は、ハードディスク装置（ＨＤＤ）等により構成され、上記ＣＰＵ２０の処理動作を制御するプログラムその他の地図データの属性情報統合装置の制御に必要な情報等を格納する。
【００２４】
図２には、本発明にかかる地図データの属性情報統合装置の一実施形態の機能ブロック図が示される。図２において、地図データの属性情報統合装置は、第１数値按分部２４、第２数値按分部２６、第１地図データ格納部２８、第２地図データ格納部３０及び第１数値合計部３２の各機能を含んで構成されており、これらの機能はＣＰＵ２０、ＣＰＵ２０の処理動作を制御するプログラム及び記憶手段１８により実現される。
【００２５】
ここで、本実施形態では、地図画像データに国勢調査結果等のデータを結合させた地図データの属性情報を統合する処理を実行する。この場合、地図中に定義される第１の種類の複数領域の各々に結合された第１項目の数値と、第２の種類の複数領域の各々に結合された第２項目の数値とを按分することにより第１項目の数値を第２の種類の領域中に反映させ、第２項目の数値を第１の種類の領域中に反映させる。上記第１の種類の領域及び第２の種類の領域は、例えば大字界、町丁目等、メッシュその他の通常使用される地図上の領域である。また、第１項目の数値及び第２項目の数値は、例えば人口、世帯数、自動車保有台数等の各種調査結果等を反映した数値であり、地図画像データに結合されている数値である。
【００２６】
第１数値按分部２４は、後述する第２数値按分部２６が第１の種類の領域と重なる第２の種類の領域の面積割合により按分した第２項目の数値を第１の種類の領域毎に合計し、この合計値に対する上記按分された各第２項目の数値の割合により、第２の種類の各領域に対して第１項目の数値を按分する。この処理の具体例については後述する。
【００２７】
第２数値按分部２６は、上述したように、第１の種類の領域と重なる第２の種類の領域の面積割合により第２項目の数値を按分する。ここで、重なる領域とは、第１の種類の領域と第２の種類の領域とで空間的位置（住所または座標等）が共通する地図上の領域をいう。例えば、第１の種類の領域が大字界である東京都目黒区東山を表す地図上の図形（ポリゴン）であり、第２の種類の領域が東京都目黒区東山の一部を含むメッシュである場合に、第２の種類の領域としてのメッシュに含まれる東京都目黒区東山の一部が上記重なる領域となる。
【００２８】
第１地図データ格納部２８は、地図中に定義される第１の種類の複数領域の各々に結合された第１項目の数値を、上記第１の種類の領域とともに第１の地図データとして格納する。この第１地図データ格納部２８は、記憶手段１８の記憶領域中に形成される。また、上記第１の種類の領域に結合された第１項目の数値は、第１の種類の領域に対応する地図画像データとともに入力手段１２から入力してもよいし、通信手段１６を介して他のコンピュータ等から取得してもよい。
【００２９】
第２地図データ格納部３０は、地図中に定義される第２の種類の複数領域の各々に結合された第２項目の数値を、上記第２の種類の領域とともに第２の地図データとして格納する。この第２地図データ格納部３０も、記憶手段１８の記憶領域中に形成される。また、上記第２の種類の領域に結合された第２項目の数値も、第２の種類の領域に対応する地図画像データとともに入力手段１２から入力してもよいし、通信手段１６を介して他のコンピュータ等から取得してもよい。
【００３０】
なお、地図データは、上記第１の地図データ及び第２の地図データに限られず、３つ以上の地図データから構成してもよい。この場合には、まず任意に選択した２つの地図データの属性情報を統合し、得られた情報に対して更に第３の地図データの属性情報を統合する。
【００３１】
第１数値合計部３２は、第１数値按分部２４により按分された第１項目の数値を上記第２の種類の領域毎に合計し、第２の種類の各領域に対して割り当てる。これにより、第２の種類の各領域に、上記第１項目の数値が反映される。
【００３２】
図３には、本発明にかかる地図データの属性情報統合装置の動作例のフローが示される。また、図４（ａ）〜（ｅ）には、本発明にかかる地図データの属性情報統合装置の動作結果の一例が示される。図４（ａ）〜（ｅ）では、第１の地図データとして、第１の種類の領域が大字界である「東京都目黒区東山」及び「東京都目黒区中目黒」を用い、この領域に第１項目の数値である自動車保有台数が結合されたデータが例示されている。また、第２の地図データとして、第２の種類の領域がメッシュであり、この領域に第２項目の数値である世帯数が結合されたデータが例示されている。なお、上記メッシュは、「東京都目黒区東山」及び「東京都目黒区中目黒」を含む領域を矩形状に分割したものとなっている。本例では、上記第１項目の数値である自動車保有台数を第２の種類の領域であるメッシュ上に按分して反映させることにより地図データの属性情報の統合処理を行っている。
【００３３】
図３において、第２数値按分部２６が、第１の地図データを第１地図データ格納部２８から、第２の地図データを第２地図データ格納部３０からそれぞれ読み出す（Ｓ１）。
【００３４】
ここで、図４（ａ）に示されるように、第２の種類の領域であるメッシュが４つ（メッシュＷ，メッシュＸ，メッシュＹ，メッシュＺ）設定されており、それぞれのメッシュにおける第２項目の数値である世帯数が、メッシュＷに１５０世帯、メッシュＸに０世帯、メッシュＹに２００世帯、メッシュＺに１５０世帯となっている。メッシュＸは、その領域の特性（例えば公園等）により、世帯数が０の領域となっている。
【００３５】
第２数値按分部２６は、図４（ｂ）に示されるように、第２の種類の領域であるメッシュを、第１の種類の領域である「東京都目黒区東山」及び「東京都目黒区中目黒」に、相互の位置が対応するように重ねる（Ｓ２）。次に、第２数値按分部２６は、第１の種類の領域と重なる第２の種類の領域の面積割合により、第２項目の数値を按分する（Ｓ３）。
【００３６】
ここで、面積割合とは、第２の種類の領域の面積に対する第１の種類の領域の占める面積の割合を言う。例えば、図４（ｂ）において、第２の種類の領域としてのメッシュＹには第１の種類の領域として「東京都目黒区東山」及び「東京都目黒区中目黒」の一部が重なっている。従って、メッシュＹの面積に対する「東京都目黒区東山」の占める面積が「東京都目黒区東山」に対する面積割合であり、「東京都目黒区中目黒」の占める面積が「東京都目黒区中目黒」に対する面積割合である。また、第２項目の数値の按分は、上記面積割合に従って、第１の種類の各領域に対して行う。図４（ｂ）のメッシュＹでは、メッシュＹの面積のうち「東京都目黒区中目黒」が５０％を占めている（面積割合５０％）。従って、メッシュＹに結合された第２項目の数値である２００世帯を按分し、５０％である１００世帯を「東京都目黒区中目黒」に配分する。また、メッシュＹの面積のうち「東京都目黒区東山」が５％を占めており、２００世帯の５％である１０世帯を「東京都目黒区東山」に配分する。メッシュＷ（６０世帯と３０世帯），メッシュＸ（０世帯と０世帯），メッシュＺ（５０世帯と７０世帯）についても同様にして世帯数を面積割合で按分し、「東京都目黒区東山」及び「東京都目黒区中目黒」に配分する。
【００３７】
第１数値按分部２４は、Ｓ３において第１の種類の各領域に配分した第２項目の数値を第１の種類の領域毎に合計した値を算出する（Ｓ４）。
【００３８】
図４（ｃ）の例では、「東京都目黒区中目黒」の合計値は、メッシュＷ、メッシュＸ、メッシュＹ及びメッシュＺにおいて按分されたそれぞれ６０世帯、０世帯、１００世帯及び５０世帯を合計した２１０世帯となる。また、「東京都目黒区東山」の合計値は、メッシュＷ、メッシュＸ、メッシュＹ及びメッシュＺにおいて按分されたそれぞれ３０世帯、０世帯、１０世帯及び７０世帯を合計した１１０世帯となる。
【００３９】
次に、第１数値按分部２４は、上記合計値に対する上記按分された各第２項目の数値の割合により、第２の種類の各領域に対して第１項目の数値を按分する（Ｓ５）。
【００４０】
図４（ｄ）の例では、例えばメッシュＹについて、「東京都目黒区中目黒」に配分された世帯数が１００世帯であり、「東京都目黒区中目黒」の合計値２１０世帯に対する割合で第１項目の数値である自動車保有台数１５０台を按分し、端数を切り捨てると、
１５０×１００÷２１０≒７１台
となる。また、「東京都目黒区東山」に配分された世帯数が１０世帯であり、「東京都目黒区東山」の合計値１１０世帯に対する割合で第１項目の数値である自動車保有台数５０台を同様に按分すると、
５０×１０÷１１０≒４台
となる。なお、メッシュＷ、メッシュＸ及びメッシュＺについても同様に自動車保有台数を按分する。
【００４１】
第１数値合計部３２は、第１数値按分部２４により按分された第１項目の数値を第２の種類の領域毎に合計し、第２の種類の各領域に対する第１項目の数値として反映させる（Ｓ６）。
【００４２】
図４（ｄ）の例では、例えばメッシュＹについて、上記Ｓ５において自動車保有台数を按分して得た「東京都目黒区中目黒」についての７１台、及び「東京都目黒区東山」についての４台を合計した７５台をメッシュＹの数値として割り当てる。また、メッシュＷ、メッシュＸ及びメッシュＺについても同様にして、それぞれ５５台、０台、６６台を割り当てる。
【００４３】
以上のように、まず第１の種類の領域と重なる第２の種類の領域の面積割合により第２項目の数値を按分し、これを第１の種類の領域毎に合計した値に対する上記按分後の第２項目の数値の割合を算出し、この割合によって第１項目の数値を按分して第２の種類の領域毎に割り当てるので、異なる種類の領域の属性情報を統合する際にコストの高いデータを使用する必要がない。このため、データ統合のコストを低く抑えることができる。
【００４４】
また、第２項目の数値を按分し、按分後の第２項目の数値に基づいて第１項目の数値を按分するので、単に面積割合のみで第１項目の数値を按分する場合に比べて、第２項目の数値を考慮することができ、妥当な結果を得ることができる。
【００４５】
なお、以上の実施形態では、第１の種類の領域が大字界であり、第２の種類の領域がメッシュである例を説明したが、これに限定されるものではない。例えば第１の種類の領域が大字界であり、第２の種類の領域が町丁目等である等、共通の住所または座標を含むなど、空間的な重なりを持つ領域の組合せであればよい。
【００４６】
図５には、第１の種類の領域または第２の種類の領域としてのメッシュの他の例が示される。図５におけるメッシュ領域には、４つの大字界（例えば東京都○○区××）Ａ，Ｂ，Ｃ，Ｄとともに特殊領域Ｓが含まれている。この特殊領域Ｓは、例えば海域部、河川湖沼部その他の人の居住が不可能な領域、あるいは山間部、森林部、公園その他の人口僅少領域である。このような特殊領域Ｓは、人口が０であるか、極めて僅少な人口となっており、このような領域を含めて人口を按分すると、この人口の按分結果に基づいて複数の地図データの属性情報を統合する際の精度が低下する。例えば、図４（ａ）〜（ｅ）の例では、各メッシュに配分される自動車保有台数の精度が低下する。従って、本実施形態にかかる地図データの属性情報統合装置では、このような特殊領域Ｓを除外した上で地図データの属性情報の統合を行うように構成する。なお、ここでは特殊領域Ｓがメッシュ領域に含まれる場合を示したが、例えば大字界に含まれる場合であっても同様の処理を行うことができる。
【図面の簡単な説明】
【００４７】
【図１】本発明にかかる地図データの属性情報統合装置を構成するコンピュータのハードウェア構成の例を示す図である。
【図２】本発明にかかる地図データの属性情報統合装置の一実施形態の機能ブロック図である。
【図３】本発明にかかる地図データの属性情報統合装置の動作例のフローを示す図である。
【図４】本発明にかかる地図データの属性情報統合装置の動作結果の一例を示す図である。
【図５】メッシュの他の例を示す図である。
【符号の説明】
【００４８】
１０  処理手段、１２  入力手段、１４  表示手段、１６  通信手段、１８  記憶手段、２４  第１数値按分部、２６  第２数値按分部、２８  第１地図データ格納部、３０  第２地図データ格納部、３２  第１数値合計部。
【図１】
0005227080.tif 000002
【図２】
0005227080.tif 000003
【図３】
0005227080.tif 000004
【図４】
0005227080.tif 000005
【図５】
0005227080.tif 000006